(57)【要約】      （修正有）【課題】最近急増している薄型テレビを家具に載置した場合、比較的小型のものはスタンドに載置しても設置後の位置や角度は簡単に変更できるが、大型の場合は一旦設置してしまうとなかなかちょっとした位置や角度でも変更するのが容易ではなく、そのまま辛抱しているのが現状である。【解決手段】家具１の背部に曲線状のレール２を設けて支柱３をこのレール２に沿ってスライド自在に装着し、家具１上に設置される薄型テレビ４の背部をこの支柱３に保持する。【選択図】図２
2008220533.tif 000002
【特許請求の範囲】
【請求項１】
家具１の背部に曲線状のレール２を設けて支柱３をこのレール２に沿ってスライド自在に装着し、家具１上に設置される薄型テレビ４の背部をこの支柱３に保持させるようにして成ることを特徴とする薄型テレビのスライド保持機能付き家具。
【請求項２】
レール２が家具１の背部の上下２箇所である請求項１に記載の薄型テレビのスライド保持機能付き家具。
【発明の詳細な説明】
【技術分野】
【０００１】
本発明は、最近急増してきた薄型テレビをテレビボードのような家具に向きと位置を簡単に調節でき、しかも転倒しないように設置することができる薄型テレビのスライド保持機能付き家具に関するものである。
【背景技術】
【０００２】
最近増えてきている薄型テレビは、例えばパソコン用やパーソナルタイプの小型のものは簡単な設置台にテレビの下部を保持して自立させているが、ある程度以上のサイズのものでは壁面などに設置用の取り付け枠を工事により設置し、その取り付け枠にテレビの背面を取り付けるようにしている。
【０００３】
また一般家庭ではいわゆるテレビボードのような家具のテレビ設置スペースにテレビを納めている。小型テレビであれば薄型の場合でも設置台のみで良いが、大型になると、転倒防止のために、壁面に上記の取り付け枠を工事で取り付け、それにテレビの背面を固定するようにしている。
【０００４】
しかしながら薄型とはいえ重量のある大型のテレビを一旦設置してしまうと、後に向きや位置を少し変えたい場合でも簡単にはできず、不満が残ることがあった。これを解消するために保持台にキャスターを付けることが行われているが、保持台を含めた全体を移動させる必要があって、テレビだけを動かせないものであった。またテレビを取付台に回動自在に枢支するものもあるが、角度を調節できるに止まり、設置場所は調節できなかった。
【特許文献１】特開２００６−１１３５４号公報
【発明の開示】
【発明が解決しようとする課題】
【０００５】
本発明は、薄型テレビを家具本体に設置した後でもテレビの角度を簡単に調整できるスライド保持機能付き家具に関するものである。
【課題を解決するための手段】
【０００６】
本発明の主たる特徴は、家具１の背部に曲線状のレール２を設けて支柱３をこのレール２に沿ってスライド自在に装着し、家具１上に設置される薄型テレビ４の背部をこの支柱３に保持させるようにしたことである。
【発明の効果】
【０００７】
本発明にあっては上述のように、家具１の背部に曲線状のレール２を設けて支柱３をこのレール２に沿ってスライド自在に装着し、家具１上に設置される薄型テレビ４の背部をこの支柱３に保持させるようにしたから、家具１は床面に設置された状態に据え置いたままで薄型テレビ４の位置、向きをレール２の曲線に沿ってスライドさせることにより好みの位置、角度に簡単に調節できる。
【０００８】
またレール２を家具１の背部の上下２箇所に設けておくと、支柱３にねじれが少なく薄型テレビ４のスライド移動がスムーズになると共に、重量の大きな大型の薄型テレビ４であっても大きな荷重を十分に支える子とができる。殊に上下のレールのうちの少なくとも一方をスライド方向と平行な両側にガイド側壁を有するものにすることにより、耐震性を強化することができる。
【発明を実施するための最良の形態】
【０００９】
以下本発明を添付図面に基づき詳細に説明する。図１はコーナーに設置する本発明の基本的な実施例を示すもので、家具１はＡＶ機器やその周辺小物を収納するための棚１０、キャビネット１１等を有し、天板１２上に薄型テレビ４が載置される。この家具１の背面は横断面が弧状又は緩やかな曲線に設定されていて、その背面の好ましくは上下２箇所にその曲面に沿って曲線状のレール２、２が設置され、一対の支柱２、２がこのレール２、２に沿ってスライド自在に接合されている。その支柱３、３間に装着されたボード５は薄型テレビ４の取付枠１３が装着されるもので、必要に応じて支柱３、３に上下移動可能に装着される。この場合、ボード５は支柱２、２に対して上下に摺動自在にしても良いし、適宜高さでロックされるようにしても良い。
【００１０】
支柱３の２箇所にはレール２、２に対応してベアリング１４が装着され、ベアリング１４はそのレール２にスライド自在にガイドされている。ベアリング１４の一部は水平な軸を有し、他は垂直な軸を有する。１５は支柱３の下端カバーである。
【００１１】
図４は支柱３の下端にキャスター１６を装着した例で、レール２は家具１の背部の曲面に沿って設けられ、支柱３の対応箇所に設けられたベアリング１４がこの曲線状のレール２にスライド自在にガイドされる。
【００１２】
レール３に装着されるベアリング１４は図３のように上下に水平軸で垂直荷重を受けるようにしても良いし、図５のように水平軸、垂直軸のベアリング１４を組み合わせても良い。また、ベアリング１４はレール２の底に水平に軸支してコロ状に配置して支柱２の下端がレール２でガイドされながら回転するベアリング１４上をスライドするようにしても良い。
【００１３】
薄型テレビ４の設置に当っては、テレビに付設の取付枠１３をパネル５に装着し、薄型テレビ４の背部をその取付枠１３に取付けるものである。この取付枠１３は任意のタイプのものがテレビに付属しているが、いずれのタイプでも対応できる。
【００１４】
一例を示すと、図６のようなものがある。図６の例では、取付枠１３は平行な２本以上の取付バー２２に２本以上のテレビ保持バー２３が垂直に装着されていて、取付バー２２の取付孔２４、長孔２５にビス２６を通してまず取付枠１３をボード５の目的とする箇所に取付ける。この場合、水平出しを行い、ビスの数は薄型テレビ４のサイズの応じて調整される。
【００１５】
次いで、薄型テレビ４の背部に取付金具２７を装着し、その取付金具２７をテレビ保持バー２３のだるま孔のような取付孔２８に挿入して下に下げて固定する。薄型テレビ４を本体やＡＶ機器、スピーカ、電源等の配線は予め接続しておき、通し孔３０に束ねて通しておけば良い。薄型テレビ４はこの状態で家具本体１の天板１２より浮かせて設置しても良いし、薄型テレビ４の下部をスタンド２９で保持して天板１２上に載置しても良い。また、キャスターを併用することもできる。
【００１６】
ボード５が上下動できるときは、ボード５の取付枠１３を装着しても薄型テレビ４の最適の高さに浮かせて設置できる。また大きなサイズの薄型テレビ４に対してもボード５を上方に移動させることにより取付枠１３の上下の取付位置を調節、対応できる。
【００１７】
またボード５を支持する支柱３の上端を天井に固着しておくと、超大型の薄型テレビ４であっても、十分な耐震強度を確保でき、この場合、ボード５を上下動自在にしておくと、設置できるサイズの幅が大きく確保できて、２０型前後の比較的小さなサイズから、５０型を超えるサイズまで無理なくスムーズに対応できる。
【００１８】
尚、上記例では薄型テレビ４は天板１２より浮かせて設置するようにしたが、例えばキャスターなどを介して天板１２に荷重が支えられるようにすることもできる。またレール２とベアリング１４との間には必要に応じて任意の箇所で薄型テレビ４を固定できるロック装置を装着することができる。
【００１９】
また薄型テレビ４のスライド移動は手で押して移動するのがもっともシンプルであるが、手動のハンドルや電動による駆動も勿論構わない。更にはボード５の一側をアーム等を介してせり出し可能としておくと、レール２の曲線に沿ったスライド移動による薄型テレビ４の画面の角度調整の幅を追加することができる。
【００２０】
レール２の曲線は弧状の他、適宜曲率が変化する曲線を必要に応じて採用できる。また直線を一部に含ませることもできる。図７〜図１１はそれらの配置の例の幾つかを示すもので、図７は壁面Ｗの中央部に設置されるもので、家具１の背面のレール２は全体が曲線状に形成されている。図８は同じく壁面Ｗの中央部に設置されるものであるが、家具１の背面中央部は直線状で、レール２は両端が曲線状である。図９はコーナーに設置されるもので、レール２は全体が曲線状である。図１０は右隅に設置されるもので、壁Ｗに近接するレール２の右端が曲線状に形成され、図１１は逆にレール２の左端が曲線状である。
【産業上の利用可能性】
【００２１】
最近富みに増加してきている薄型テレビ、殊に大型の薄型テレビを比較的低いローボード等の家具本体の上に設置するに当たり、重量が大きいので一旦設置してしまうと僅かな角度調整や移動も極めて困難であるが、本発明にあっては家具１の背面に設けられた曲線状のレール２に沿ってスライド可能な支柱３に薄型テレビ４を装着するようにしたから、家具１の設置幅の範囲内で薄型テレビ４をスライドさせて簡単にその向き、位置を調節することができるものであって、その際に、従来のように家具共々移動させる必要がない。したがって業者を呼んで調節作業を行う必要がなく、いつでも見たい角度、位置にスライド調節することができて、使用勝手が大幅に向上し、ストレスが溜まることがない。
【００２２】
またレール２を上下2段とし、少なくとも一方の水平方向のレール２からの外れを規制するようにしておくと、支柱３による薄型テレビ４の耐震性の向上も図ることができる。
【図面の簡単な説明】
【００２３】
【図１】本発明の基本例の正面側の斜視図。
【図２】同上の背面側から見た斜視図。
【図３】同上の要部断面図。
【図４】同上の他の実施例の要部断面図。
【図５】同上のベアリングの他の実施例の要部断面図。
【図６】同上の取付枠を含む部分の分解斜視図。
【図７】同上の壁面中央に設置される家具のレールの形状の一例を示す作用説明図。
【図８】同上の壁面中央に設置される家具のレールの形状の他の例を示す作用説明図。
【図９】同上のコーナーに設置されるタイプでレール全体を曲線状にした例の作用説明図。
【図１０】同上の右壁が迫っている隅部に対応した例の作用説明図。
【図１１】同上の左壁が迫っている隅部に対応した例の作用説明図。
【符号の説明】
【００２４】
１は家具
２はレール
３は支柱
４は薄型テレビ
【図１】
2008220533.tif 000003
【図２】
2008220533.tif 000004
【図３】
2008220533.tif 000005
【図４】
2008220533.tif 000006
【図５】
2008220533.tif 000007
【図６】
2008220533.tif 000008
【図７】
2008220533.tif 000009
【図８】
2008220533.tif 000010
【図９】
2008220533.tif 000011
【図１０】
2008220533.tif 000012
【図１１】
2008220533.tif 000013